(57)【要約】【課題】洗浄水の水勢の低下を抑制し、汚物の排出性能を有効に発揮することができる水洗式便器を提供する。【解決手段】水洗式便器１は、鉢面部１２及び鉢面部１２の下方に形成されて排水管３０に連なる凹部１４を有する便鉢１０と、便鉢１０内に洗浄水を吐出する吐水口とを備えている。洗浄水は、便鉢１０の前部から凹部１４に流れ込む第１水流Ｆ３と、便鉢１０の後部から凹部１４に流れ込んで凹部１４の前方で上昇することにより凹部１４内で縦方向に旋回する第２水流Ｆ４との少なくとも２つの水流をなして凹部１４に流れ込み、鉢面部１２の第１水流Ｆ３が流れ落ちる領域には、上下方向に段差が生じた段部１２Ａが形成されている。【選択図】図７
2018105006.tif 000002
【特許請求の範囲】
【請求項１】
鉢面部及び前記鉢面部の下方に形成されて排水管に連なる凹部を有する便鉢と、
前記便鉢内に洗浄水を吐出する吐水口と、
を備えており、
前記洗浄水は、前記便鉢の前部から前記凹部に流れ込む第１水流と、前記便鉢の後部から前記凹部に流れ込んで前記凹部の前方で上昇することにより前記凹部内で縦方向に旋回する第２水流との少なくとも２つの水流をなして前記凹部に流れ込み、
前記鉢面部の前記第１水流が流れ落ちる領域には、上下方向に段差が生じた段部が形成されていることを特徴とする水洗式便器。
【請求項２】
前記段部は前記鉢面部の表面に沿って水平方向に延びて形成されていることを特徴とする請求項１記載の水洗式便器。
【発明の詳細な説明】
【技術分野】
【０００１】
本発明は、水洗式便器に関する。
【背景技術】
【０００２】
特許文献１には、鉢面部（汚物受け面）と、この鉢面部の下方に形成されて排水管に連なる凹部を有する便鉢（ボウル部）と、便鉢内に洗浄水を吐出する吐水口（リム吐水口）とを備えた水洗式便器が開示されている。また、この水洗式便器は、凹部内に直接洗浄水を吐出する吐水口（ゼット吐水口）を備えている。リム吐水口から吐出された洗浄水は、鉢面部を洗浄して鉢面部表面に沿って凹部に流れ込む。また、ゼット吐水口から吐出された洗浄水は、凹部の表面に沿って底壁から上方に巻き上がる旋回流を形成する。
【先行技術文献】
【特許文献】
【０００３】
【特許文献１】特開２０１３−１９４４１０号公報
【発明の概要】
【発明が解決しようとする課題】
【０００４】
上記のような水洗式便器の場合、鉢面部の表面に沿って上方から凹部に流れ込む洗浄水の下降する水流と、凹部内を縦方向に旋回する洗浄水の上昇する水流とが生じるので、これらの水流同士が凹部内で衝突してしまうおそれがあった。この場合、それぞれの水流の水勢が弱められ、汚物を排出が十分にできなくなるという問題が発生する。
【０００５】
本発明は、上記従来の実情に鑑みてなされたものであって、洗浄水の水勢の低下を抑制し、汚物の排出性能を有効に発揮することができる水洗式便器を提供することを解決すべき課題としている。
【課題を解決するための手段】
【０００６】
本発明の水洗式便器は、
鉢面部及び前記鉢面部の下方に形成されて排水管に連なる凹部を有する便鉢と、
前記便鉢内に洗浄水を吐出する吐水口と、
を備えており、
前記洗浄水は、前記便鉢の前部から前記凹部に流れ込む第１水流と、前記便鉢の後部から前記凹部に流れ込んで前記凹部の前方で上昇することにより前記凹部内で縦方向に旋回する第２水流との少なくとも２つの水流をなして前記凹部に流れ込み、
前記鉢面部の前記第１水流が流れ落ちる領域には、上下方向に段差が生じた段部が形成されていることを特徴とする。
【０００７】
この水洗式便器は、第１水流が便鉢の前部から前記凹部に流れ込み、第２水流が便鉢の後部から凹部に流れ込んで凹部の前方で上昇することにより凹部内で縦方向に旋回する。また、第１水流は、段部を通過することにより鉢面部の表面から離れた流れを形成する。これにより、２つの水流が凹部内で合流する際に、互いの進行方向の正面での衝突が回避されるので、水勢の低下を抑制することができる。
【０００８】
したがって、本発明の水洗式便器は、洗浄水の水勢の低下を抑制し、汚物の排出性能を有効に発揮することができる。
【図面の簡単な説明】
【０００９】
【図１】実施例１の水洗式便器を示す平面図である。
【図２】実施例１の水洗式便器を示す斜視図である。
【図３】図１のＩＩＩ−ＩＩＩ線断面図である。
【図４】図１のＩＶ−ＩＶ線断面図である。
【図５】実施例１の水洗式便器の作用を説明するための図である。
【図６】実施例１の水洗式便器の作用を説明するための図である。
【図７】実施例１の水洗式便器の作用を説明するための図である。
【図８】図７の要部拡大図である。
【発明を実施するための形態】
【００１０】
本発明における好ましい実施の形態を説明する。
【００１１】
本発明の水洗式便器は、前記段部は前記鉢面部の表面に沿って水平方向に延びて形成され得る。この場合、鉢面部の表面に沿って水平方向に広がって流れ落ちたり、水勢等のばらつきにより流下位置のズレが生じたりする第１水流を段部に確実に流通させることができる。
なお、上記「水平方向」とは、厳密に水平である必要はなく、斜め上下方向も含むものとのする。
【００１２】
＜実施例１＞
以下、本発明を具体化した実施例１を図１〜図８を参照して説明する。尚、以下の説明において、前後方向に関しては、図１における下側及び図３における左側を前側と定義する。また、左右方向に関しては、図１にあらわれる向きを、そのまま左側及び右側と定義する。本実施例の水洗式便器１は、便鉢１０及び吐水口２１，２２を備えている。
【００１３】
図１〜図３に示すように、便鉢１０は、立面部１１、鉢面部１２、棚面部１３及び凹部１４を有している。立面部１１は便鉢１０の上端部に設けられており、その表面が上下方向に延びて形成されている。立面部１１は便鉢１０の上端部の略全周に亘って形成されている。立面部１１は、平面視において、前後にやや長い環状に形成されているとともに、前部の曲率が後部の曲率よりも大きい卵形状をなしている。また、立面部１１の上端面は、略一定の高さで外側方向に略水平に延びている。このように、水洗式便器１は、立面部１１の上端から内側に張り出すオーバーハング部のない便器である。
【００１４】
鉢面部１２は、立面部１１の下端よりも内周側下方にすり鉢状に形成されている。鉢面部１２は、中央後方側に向かって低くなるように傾斜して形成されている。棚面部１３は、立面部１１の下端と鉢面部１２の上端とを繋ぐように、立面部１１と鉢面部１２の間に設けられている。棚面部１３は、その表面が上方を向くとともに、内側に向かうに連れてわずかに下方に傾斜して延びている。棚面部１３は、前方の一部を除いた便鉢１０の周縁に設けられており、平面視略馬蹄形をなしている。凹部１４は、鉢面部１２の下方に形成されて排水管３０に連なっている。凹部１４は、鉢面部１２の下端に連続して設けられている。凹部１４は、便鉢１０の左右方向の略中央の後方寄りに配されている。凹部１４には洗浄水による溜水が形成される。
【００１５】
吐水口２１，２２は、便鉢１０の立面部１１に開口しており、便鉢１０内に洗浄水を吐出する。本実施例において、吐水口２１，２２は、第１吐水口２１と第２吐水口２２の２つが設けられている。２つの吐水口２１，２２は、便鉢１０内に夫々洗浄水を吐出する。吐出された洗浄水は、便鉢１０内の棚面部１３及び鉢面部１２の上を反時計回りの方向に旋回しつつ流通し、凹部１４に流れ込み、排水管３０へと排出される。
【００１６】
具体的には、第１吐水口２１は、便鉢１０の左側後方に開口して設けられている。第１吐水口２１から吐出される洗浄水は前方に向かって棚面部１３上に吐出され、その一部は立面部１１に沿って便鉢１０の周縁を流通する後述の主流Ｆ１の一部となり、他の一部は棚面部１３から鉢面部１２側に流れ落ちる後述の分流Ｆ２の一部となり、更に他の一部は凹部１４に流れ込む後述の第２水流Ｆ４の一部となる。
【００１７】
第２吐水口２２は、便鉢１０の右側後方に開口して設けられている。第２吐水口２２から吐出される洗浄水は左方やや前方に向かって吐出され、その一部は第１吐水口２１から吐出された洗浄水に合流し、他の一部は鉢面部１２側に流れ落ちて凹部１４に流れ込む第２水流Ｆ４の一部となる。なお、本実施例に係る水洗式便器１は、洗浄１回当たりの洗浄水の量が約５リットルとされている。洗浄水は、図示しないタンクに洗浄１回分の量が予め貯留されている。そして、洗浄水の吐出流量（単位時間当たりの吐水量）は吐出開始時がほぼ最大であり、その後徐々に減少する。
【００１８】
図１及び図２に示すように、本実施例の水洗式便器１は、便鉢１０内において、洗浄水は主に４つの水流Ｆ１〜Ｆ４をなして流通する。これらのうち、主流Ｆ１及び分流Ｆ２は、吐水口２１，２２から吐出され、便鉢１０内を旋回する水流である。また、第１水流Ｆ３及び第２水流Ｆ４は、凹部１４に流れ落ちる水流である。
【００１９】
吐水口２１，２２から吐出された洗浄水は、主流Ｆ１及び分流Ｆ２の少なくとも２つの水流をなして便鉢１０内を洗浄する。すなわち、洗浄水は、その一部が主流Ｆ１及び分流Ｆ２を形成して流通する。これらのうち、主流Ｆ１は、立面部１１に沿って便鉢１０の周縁を流れる水流である。分流Ｆ２は、主流Ｆ１から分かれて鉢面部１２側に流れ落ちる水流である。分流Ｆ２は、下流側の合流部Ｊで主流Ｆ１に合流する。そして、これら２つの水流Ｆ１，Ｆ２をなす洗浄水は、主流Ｆ１が分流Ｆ２よりも合流部Ｊに早く到達する。詳細には、分流Ｆ２は、主流Ｆ１から分かれて鉢面部１２側に流れ落ちることで鉢面部１２の表面を洗浄しつつ凹部１４に流れ込むが、その一部は下流側の合流部Ｊで主流Ｆ１に合流する。そして、この合流部Ｊにて合流する主流Ｆ１及び分流Ｆ２のうち、便鉢１０内に洗浄水が吐出開始された直後に最初に合流部Ｊに到達する主流Ｆ１は、吐出開始直後に最初に合流部Ｊに到達する分流Ｆ２よりも早く到達する。
【００２０】
本実施例の場合、このような主流Ｆ１及び分流Ｆ２の合流形態は、分流Ｆ２の合流部Ｊまでの流通経路となる鉢面部１２の表面を下方に深く窪ませることにより分流Ｆ２が流通する距離を調整して実現している。すなわち、図３〜図５に示すように、鉢面部１２の分流Ｆ２が流通する部分の表面高さを主流Ｆ１の流通高さ（棚面部１３の高さ）よりも十分深く取ることで、分流Ｆ２の移動距離が長くなるように設定している。すなわち、棚面部１３の高さで主流Ｆ１から分かれ、再び棚面部１３の高さの合流部Ｊで主流Ｆ１に合流する間の高低差を利用して分流Ｆ２の移動距離の長さを設定している。本実施例では、主流Ｆ１から分流してから合流部Ｊに到達するまでの分流Ｆ２の移動距離は、分流Ｆ２が分流してから合流部Ｊに到達するまでの主流Ｆ１の移動距離よりも長く設定されている。また、このように鉢面部１２の表面と棚面部１３の表面との間に高低差を設けたことにより、分流Ｆ２の水勢が弱められて失速する。このことも分流Ｆ２の合流部Ｊへの到着タイミングに影響している。
【００２１】
また、合流部Ｊは、便鉢１０の前方側で主流Ｆ１の高さが最も高い領域Ａよりも下流側に位置している。図６に示すように、本実施例において、便鉢１０の周縁を立面部１１に沿って流れる主流Ｆ１は、遠心力の影響を受けて外周方向の立面部１１に押しつけられる。主流Ｆ１は、立面部１１の曲率の変化や流速に応じて、その高さを変えつつ流通する。図６において、符号Ｍで示す仮想線は、便鉢１０の周縁の流れが洗浄中に立面部１１の表面において、最も高く流れる位置を示す最高到達高さの軌跡を示しており、その軌跡の中でも便鉢１０の前方側で主流Ｆ１が最も高くなる部分が領域Ａである。この領域Ａで分流Ｆ２が合流すると、更に高い位置まで洗浄水が到達し、便鉢１０の外に飛散してしまいかねない。このため、本実施例においては、合流部Ｊの位置を領域Ａよりも下流側に設定している。本実施例の場合、図６に示すように、主流Ｆ１の高さが最も高くなる領域Ａは便鉢１０の前方の右寄りの位置となっているので、合流部Ｊはこのさらに下流側に位置するように設定している。
なお、本実施例において、便鉢１０の周縁の流れのうち、便鉢１０の前方側で最も高くなる部分は主流Ｆ１が最も高くなる領域Ａであるが、分流Ｆ２が合流することにより、合流部Ｊが最も高くなる形態であってもよい。
【００２２】
このような形態は以下のようにして実現している。すなわち、本実施例では、図６に示すように、平面視における一方の吐水口２１と主流Ｆ１の高さが最も高くなる領域Ａとを結んだ仮想線Ｖ上において、吐水口２１から吐出開始直後の分流Ｆ２を凹部１４に落とし込むように鉢面部１２を傾斜させている。具体的には、図４に示すように、鉢面部１２の表面の傾斜角度θ１，θ２を４５°以上（より好ましくは６０°以上）に設定している。さらに、本実施例では、鉢面部１２の左側（上流側）の表面の傾斜角度θ１を右側（下流側）の表面の傾斜角度θ２よりも大きくしている。これにより、仮想線Ｖ上を流れようとする分流Ｆ２を凹部１４側に引き込み、洗浄水が第１吐水口２１から直線的に領域Ａに到達することを抑制している。また、仮想線Ｖ上の洗浄水を凹部１４側に引き込むことにより分流Ｆ２に反時計回り方向への旋回を付勢する力を作用させ、より下流側で合流するようにしている。このようにして、本実施例では、合流部Ｊが主流Ｆ１の高さが最も高い領域Ａよりも下流側に位置することを実現している。さらに、仮想線Ｖ上を流れようとする分流Ｆ２を凹部１４側に落とし込むことで、合流部Ｊに到達する分流Ｆ２の水量が減少して水勢及び流速が低下するので、分流Ｆ２が主流Ｆ１に合流する際の衝撃が緩和され、洗浄水の便鉢１０の外部への飛散が確実に防止される。
【００２３】
また、分流Ｆ２のうち、第１吐水口２１から直線的に領域Ａに到達しようとする成分、すなわち、立面部１１の表面に大きな進入角で進入して衝突しようとする成分が凹部１４側に流れ落ちる又は水勢が弱められることで、旋回流の形成が促進されている。これにより、主流Ｆ１との合流時には、旋回流となった分流Ｆ２は立面部１１の表面に対してより小さな進入角となっており、立面部１１に沿って流れる主流Ｆ１にスムーズに合流することができる。このため、主流Ｆ１と分流Ｆ２との合流時の衝撃がより緩和され、洗浄水の便鉢１０の外部への飛散がより確実に防止される。
【００２４】
また、図１及び図２に示すように、本実施例の水洗式便器１において、洗浄水は、第１水流Ｆ３及び第２水流Ｆ４の少なくとも２つの水流をなして凹部１４内に流れ落ちる。第１水流Ｆ３は、便鉢１０の前部から凹部１４に流れ込む。第２水流Ｆ４は、便鉢１０の後部から凹部１４に流れ込んで凹部１４内で縦方向に旋回する。詳細には、図７に示すように、便鉢１０の後方から凹部１４に流れ込んだ第２水流Ｆ４は、凹部１４の前方側で上昇流となって巻き上がるとともに凹部１４の後方側で再び下降流となるように縦方向に旋回して排水管３０へと進入する。
【００２５】
鉢面部１２の第１水流Ｆ３が流れ落ちる領域には、上下方向に段差が生じた段部１２Ａが形成されている。図７及び図８に示すように、段部１２Ａは、鉢面部１２の下部に形成されており、その下方には凹部１４が連なっている。段部１２Ａは、第１水流Ｆ３の流れ方向を変化させる。具体的には、段部１２Ａは、鉢面部１２の表面に沿って流れようとする第１水流Ｆ３を、その下流側において鉢面部１２の表面から離すように作用する。本実施例において、段部１２Ａは鉢面部１２の表面を凹状に陥没させて形成されている。また、段部１２Ａは鉢面部１２の表面に沿って水平方向に延びて形成されている。すなわち、本実施例では段部１２Ａを水平方向に幅を持たせている。これにより、鉢面部１２の表面に沿って水平方向に広がって流れ落ちたり、水勢等のばらつきにより流下位置のズレが生じたりする第１水流Ｆ３に対応することができる。
【００２６】
図８に示すように、段部１２Ａの下方には、第２水流Ｆ４の凹部１４内で縦方向に旋回する流れのうちの上方に巻き上がる流れが形成されている。一方、段部１２Ａの上方からは第１水流Ｆ３が流れ落ちる。下方に向かって流れ落ちる第１水流Ｆ３は、段部１２Ａを通過することによりその流れ方向が変化し、第２水流Ｆ４との衝突が回避される。段部１２Ａの下方から上昇した第２水流Ｆ４は、凹部１４の内側で下降し排水管３０へと進入する。また、第１水流Ｆ３は、段部１２Ａを通過することにより、第２水流Ｆ４の流れ方向と略同方向に流れ方向が変化して第２水流Ｆ４に合流する。したがって、第２水流Ｆ４は、水勢を維持したまま排水管３０内に進入することができる。このため、第１水流Ｆ３と第２水流Ｆ４とが衝突して水勢が弱まる場合よりも凹部１４から排水管３０への汚物の押し込み能力が向上する。
なお、上述のように、段部１２Ａは通過する第１水流Ｆ３を鉢面部１２の表面から離す作用を有するが、その全量を剥離させなくてもよく、通過する第１水流Ｆ３の一部が鉢面部１２の表面に沿って流れるものであってもよい。
【００２７】
また、段部１２Ａを通過した第１水流Ｆ３は凹部１４内で第２水流Ｆ４と合流して排水管３０へと進入する。上述のように、第１水流Ｆ３は段部１２Ａを通過することにより流れ方向が変化する。これにより、第１水流Ｆ３は水勢を削がれて流速が落ちるが、代わって断面積が増加し、厚みを増して凹部１４に流れ込む。このため、凹部１４から排水管３０への汚物の押し込み能力が一層向上する。
【００２８】
以上のように、本実施例の水洗式便器１は、第１水流Ｆ３が便鉢１０の前部から凹部１４に流れ込み、第２水流Ｆ４が便鉢１０の後部から凹部１４に流れ込んで凹部１４の前方で上昇することにより凹部１４内で縦方向に旋回する。また、第１水流Ｆ３は、段部１２Ａを通過することにより鉢面部１２の表面から離れた流れを形成する。これにより、２つの水流Ｆ３，Ｆ４が凹部１４内で合流する際の衝突が回避されるので、水勢の低下を抑制することができる。
【００２９】
したがって、水洗式便器１は、洗浄水の水勢の低下を抑制し、汚物の排出性能を有効に発揮することができる。
【００３０】
また、水洗式便器１は、段部１２Ａが鉢面部１２の表面に沿って水平方向に延びて形成されている。このため、鉢面部１２の表面に沿って水平方向に広がって流れ落ちたり、水勢等のばらつきにより流下位置のズレが生じたりする第１水流Ｆ３を段部１２Ａに確実に流通させることができる。
【００３１】
＜他の実施例＞
本発明は上記記述及び図面によって説明した実施例に限定されるものではなく、例えば次のような実施例も本発明の技術的範囲に含まれる。
（１）上記実施例では、主流と分流とが合流する合流部に主流が先に到達する形態を例示したが、これは必須ではない。
（２）上記実施例では、便鉢が平面視馬蹄形状の棚面部を有する形態を例示したが、これは必須ではない。また、便鉢が棚面部を有する場合には、上述の形態のみならず、例えば、便鉢の全周に亘って形成されていたり、平面視略半円形状などのより狭い範囲に形成されていたりなど、他の形態であってもよい。
（３）上記実施例では、立面部の上端から内側に張り出すオーバーハング部を設けない形態としたが、便鉢の上端の一部に、又は全周に亘ってオーバーハング部が形成されていてもよい。
（４）上記実施例では、２つの吐水口を備える形態を例示したが、吐水口は、１つ又は３以上備えられていてもよい。また、吐水口を複数備える場合には、２つ目からの吐水口は、旋回流を生成する吐水口でなくてもよい。例えば、下方にのみ吐水する吐水口でもよい。
（５）上記実施例では、吐水口を便鉢の後方側に配置したが、吐水口の位置は特に限定されない。また、吐水口からの洗浄水の吐出方向やそれによる便鉢内の旋回方向も限定されない。
（６）上記実施例では、段部が鉢面部の表面に沿って水平方向に延びる形態を例示したが、この場合の段部の長さは特に問わない。また、段部の延びる方向は、水平方向のみならず、上下方向を含む水平方向以外の方向であってもよい。
（７）上記実施例では、合流部を主流の高さが最も高い領域よりも下流側に位置させるために、吐水口と主流の高さが最も高い領域とを結んだ仮想線上において、吐水口から吐出開始後の分流を凹部に落とし込むように鉢面部を傾斜させる形態を例示したが、他の形態により実現してもよい。また、主流の高さが最も高い領域よりも下流側に合流部を位置させることも必須ではない。
（８）上記実施例では、鉢面部の表面を凹状に陥没させて形成された段部を例示したが、段部は鉢面部の表面を凸状に突出させて形成されていてもよい。
（９）上記実施例では、主流から分流してから合流部に到達するまでの分流の移動距離を、分流が分流してから合流部に到達するまでの主流の移動距離よりも長く設定する形態を例示したが、これは必須ではない。
（１０）上記実施例では、段部の下方に凹部が連なる形態を例示したが、これに限定されない。段部は、第１水流が鉢面部の表面から離れて凹部に流入する限り、鉢面部の下端よりも上方の凹部から離隔した位置に形成されていてもよい。
【符号の説明】
【００３２】
１…水洗式便器
１０…便鉢
１１…立面部
１２…鉢面部
１２Ａ…段部
１３…棚面部
１４…凹部
２１，２２…吐水口（２１…第１吐水口、２２…第２吐水口）
３０…排水管
Ａ…主流の高さが最も高くなる領域
Ｆ１…主流
Ｆ２…分流
Ｆ３…第１水流
Ｆ４…第２水流
Ｊ…合流部
Ｍ…主流の立面部における最高到達高さの軌跡
Ｖ…吐水口と主流の高さが最も高い領域を結ぶ仮想線
θ１，θ２…便鉢部の傾斜角度
【図１】
2018105006.tif 000003
【図２】
2018105006.tif 000004
【図３】
2018105006.tif 000005
【図４】
2018105006.tif 000006
【図５】
2018105006.tif 000007
【図６】
2018105006.tif 000008
【図７】
2018105006.tif 000009
【図８】
2018105006.tif 000010